Podtech/llm-jp-corpus-v4-ja_patent huggingface dataset:
(57)【要約】      （修正有）【課題】陶磁器の花器に裂を象嵌する事によって今までにはない芸術性の高い花器が誕生し花を生けていない時でも充分インテリア品として活用できる陶磁器裂象嵌花器を提供する。【解決手段】陶磁器の花器１を焼く際に予め裂を貼る場所を決めていて、その部分には釉薬を塗らずに焼き上げて素焼き部分とし、その素焼き部分に裂地３を貼り付けることにより貼られた裂も裂本来の暖かみのある風合いを遺したままで、陶磁器と裂の絶妙なバランスを醸し出す芸術性の高い裂象嵌花器１０に仕上がり、花を生けない時でも充分インテリア品として重宝するものになる。【選択図】図１
0003172304.tif 000002
【実用新案登録請求の範囲】
【請求項１】
陶磁器の花器を焼く際に予め裂を貼る場所を決めていて、その部分（５）には釉薬を塗らずに焼き上げ素焼きとし、その素焼き部分（５）に裂地を貼り付けたことを特徴とする陶磁器裂象嵌花器。
【請求項２】
素焼きの部分（５）を湾曲させ周囲を花器表面よりも沈ませたことを特徴とする請求項１記載の陶磁器裂象嵌花器
【考案の詳細な説明】
【技術分野】
【０００１】本考案は、陶磁器と美しい裂とを合体させた花器に関するものである。
【背景技術】
【０００２】従来は花器に布を極め込みで貼ったものがあった。
【先行技術文献】
【特許文献】
【０００３】
【特許文献１】実開平６−６５４５０号公報
【考案の概要】
【考案が解決しようとする課題】
【０００４】陶磁器に裂を貼ると、裂を貼ったところがひっかかり捲れてくる事があるがひっかかりをなくし捲れない様にし、また生地の持つ風合いが変わらない様にした。そのことにより陶磁器と裂のもつ風合いが見事に合体され、花を入れなくても趣きのあるインテリア備品としても重宝されるものを得ようとするものである。
【課題を解決するための手段】
【０００５】本考案の陶磁器裂象嵌花器は陶磁器の花器を焼く際に予め裂を貼る場所を決めていてその部分（５）には釉薬を塗らずに焼き上げて、素焼き部分（５）とし、その素焼き部分に裂地を貼り付けて問題点を解決している。
【考案の効果】
【０００６】そうすることによって裂地（３）と陶磁器の釉薬が塗られていない素焼きの部分（５）に接着剤（４）を介して裂を貼り付ける際の接着力の強度が増し、貼られた生地の風合いに暖かみが増します。またその形状は図４の様に生地を貼る面を湾曲させて裂の端を磁器の表面より沈ませ、手に引っかからないようにしています。これにより美しい裂の暖かみのある風合いも遺したままの陶磁器と裂の融合した芸術性の高い、花器が誕生しインテリアの雰囲気を大きく変えてゆく。またそのことにより花を生けない時でも充分に趣を持つインテリア品として重宝できるものに仕上がり活用できる。
【図面の簡単な説明】
【０００７】
【図１】本考案の陶磁器裂象嵌花器（１０）を示す説明図
【図２】図１の裂を貼る前の説明図
【図３】図１の裂を貼る様子を示す説明図
【図４】図１一部断面を示す説明図
【考案を実施するための形態】
【実施例】
【０００８】以下の図面を用いて本考案の実施例を説明する。図１は本考案花器（１０）の全体を示す。花器（１０）の本体（１）に裂地（３）を貼った状態を示している。【０００９】図２は図１の裂を貼る前の状態を示す図で（５）の部分は釉薬がかからず、素焼きされていることを示す。（２）の部分は釉薬がかかっている。更に素焼きの部分（５）は湾曲しており周囲にはへこみ（６）が形成されている。【００１０】図３は裂を貼る様子を示す。素焼きの部分（５）に美しい裂（３）を接着剤（４）を使って貼り付けます。【００１１】図４は図１の断面を示しており。素焼きの部分（５）は湾曲させて花器の表面（２）より沈ませてへこみ（６）を形成している。裂をこの湾曲するへこみ（６）に貼り付けたものであるので裂の端部が指等に引っかからず、また素焼きにしているため接着剤の着きがよく、裂と陶磁器の接着力も増して、裂が捲れてこない。また素焼きにしているため貼られた生地が暖かみのある風合いを醸し出している。このため芸術性の高い、陶磁器と裂の組み合わせが実現し、花を生けてない場合でも充分インテリア品として重宝するものである。
【符号の説明】
【００１２】（１）花器本体
（２）釉薬が塗ってある部分
（３）裂地
（４）接着剤
（５）素焼きの部分
（６）へこみ
（１０）陶磁器裂象嵌花器
【図１】
0003172304.tif 000003
【図２】
0003172304.tif 000004
【図３】
0003172304.tif 000005
【図４】
0003172304.tif 000006
(57)【要約】      （修正有）【課題】弱い力で角質を落とすことが出来、皮膚を傷つけるのを軽減することができる軽石を提供する。【解決手段】ポリウレタンを成形して作る軽石体に、ダイヤモンド粉体を表面及び軽石体中に含有させる。【選択図】図１
0003172301.tif 000002
【実用新案登録請求の範囲】
【請求項１】
硬質発泡材料であるポリウレタンを成型して作る軽石体に、ダイヤモンド粉体を表面及び軽石体中に含有させた、かかとすり用軽石
【考案の詳細な説明】
【技術分野】
【０００１】この考案は足のかかと等の角質化した皮膚をなめらかにするためのかかとすり用軽石に関する。
【背景技術】
【０００２】従来、足のかかと等の角質化した皮膚をなめらかにするために天然の軽石やポリウレタン等の硬質発泡材料を成型した軽石が広く使用されていた。
【考案の開示】
【考案が解決しようとする課題】
【０００３】従来の軽石は表面のザラザラした表面が柔らかくて粗く、力を入れて角質をこする必要があり、それによって皮膚を傷つけてしまうことがあった。
【課題を解決するための手段】
【０００４】本考案の硬質発泡材料を成型して作る軽石体に、ダイヤモンド粉体を表面及び軽石体中に含有させた、かかとすり用軽石を提供する。
【考案の効果】
【０００５】本考案に使用するダイヤモンド粉体は物質の中で非常に硬度が高いので  従来の軽石より少ない力で角質部を落とす事ができ、皮膚を傷つけるのを軽減することができる。
【実施例】
【０００６】［図１］のように、ポリウレタンの硬質発泡材料にダイヤモンド粉体を表面及び軽石体中に含有させて、かかとすり軽石を作る。
【産業上の利用可能性】
【０００７】ダイヤモンド粉体は硬く、少ない力で角質を削れるので、皮膚を傷つけにくい軽石を提供することができる。
【図面の簡単な説明】
【０００８】
【図１】ダイヤモンド粉体を含有する硬質ポリウレタン製かかとすり用軽石
【図１】
0003172301.tif 000003
(57)【要約】      （修正有）【課題】太陽光発電パネルを活用して、高速道路等の防音壁とし、かつ道路照明としても使用できる自律電源を有した照明灯付の防音壁を提供する。【解決手段】太陽光パネル１を設け、該パネル１と、ＬＥＤ電球２ａ複数個を内装した照明パネル２との間に、一又は複数個の蓄電池３層を設け、これらで防音壁とすることを特徴として自発光式照明灯を備えた防音壁とする。また、前記照明パネルは、上方を幅厚とし、下方に進むに従って幅薄となるテーパ状であり、さらに、ＬＥＤ電球２ａを内装した照明パネル２が、視線誘導機能を有する自発光式照明灯を備えた防音壁となる。【選択図】図１
0003172256.tif 000002
【実用新案登録請求の範囲】
【請求項１】
太陽光パネル（１）を設け、該パネル（１）と、ＬＥＤ電球（２ａ）複数個を内装した照明パネル（２）との間に、一又は複数個の蓄電池（３）を設け、これらで防音壁とすることを特徴とする自発光式照明灯を備えた防音壁。
【請求項２】
照明パネル（２）が、上方を幅厚とし、下方に進むに従って幅薄となるテーパ状であることを特徴とする請求項１記載の自発光式照明灯を備えた防音壁。
【請求項３】
ＬＥＤ電球（２ａ）を内装した照明パネル（２）に、視線誘導表示（４）を設けたことを特徴とする請求項１記載の自発光式照明灯を備えた防音壁。
【考案の詳細な説明】
【技術分野】
【０００１】
この考案は、自発光式照明灯を備えた防音壁に関する。
【背景技術】
【０００２】
従来、高速道路の脇に、設置されている防音壁（パネル）は、走行車両の騒音から近隣の住民を保護するものであり、全国の高速道路脇に多数列設されている。
【０００３】
そして、高速道路は、夜間には、一定距離ごとにポール等の電柱に電灯等の照明手段が設けられており、これにより走行する車両のドライバーは視野が確立され、これが安全運転につながり、事故を防止できることにより、身体・人命の安全も保たれるものである。  
【０００４】
しかし、高速道路によっては、高速道路脇の電柱が少なく、これにより、走行車両の安全に対して疑問があるものである。
【０００５】
そのためか、フレシキブル太陽電池パネルとして、これを高速道路の防音壁に設置した技術が開示されている。例えば、特許文献１のように。
【先行技術文献】
【特許文献】
【０００６】
【特許文献１】特開２０１１−１０９０５１号公報
【０００７】
しかし、この発明は、フレキシブル太陽電池パネルを高速道路の防音壁に用いて、太陽光発電をするだけのものであり、高速道路を照明灯で照らしたり、さらに、その照明を自発光式にするものではない。
【考案の概要】
【考案が解決しようとする課題】
【０００８】
そこで、この考案は、太陽光発電により電力を発生される太陽光パネルと、この発生した電力を蓄える蓄電池を備え、この電力で照明パネルを点灯する自発光式照明灯を備えた防音壁を開発・提供することにある。
【課題を解決するための手段】
【０００９】
そこで、この考案は、太陽光パネルを設け、該パネルと、ＬＥＤ電球を複数個を内装した照明パネルとの間に、一又は複数個の蓄電池装置を設け、これらで防音壁とすることを特徴とする自発光式照明灯を備えた防音壁である。
【考案の効果】
【００１０】
この考案によると、防音壁であり、しかも、照明パネルも備えており、該照明パネル内にはＬＥＤ電球を内装しており、しかも、太陽光パネルを備え、自発光式照明となっており、極めて有益なる効果を奏するものである。
【００１１】
また、照明パネル（２）は、上方を幅厚とし、下方に進むに従って幅薄となるテーパ状に形成することにより、高速道路上の騒音は、該照明パネル（２）に当たって、下方に向けて反射するため、防音壁（Ｘ）の外部には逃げず、騒音を小さくすることができるという格別の有益なる効果を奏するものである。
【００１２】
さらに、この考案により、照明パネルにはＬＥＤ電球（２ａ）を使用するため、寿命が長く、従って、保守・管理が極めて容易である等の極めて有益なる効果を奏するものである。
【図面の簡単な説明】
【００１３】
【図１】この考案の一実施例を示す一部欠截側面図である。
【図２】この考案の他の実施例を示す側面図である。
【図３】この考案の一実施例を示す正面図である。
【考案を実施するための形態】
【００１４】
この考案の好適な実施をするための形態を説明する。尚、この考案において、以下の記述に限定されるものではなく、この考案の要旨を逸脱しない範囲においては適宜変更可能である。
【実施例】
【００１５】
以下、この考案である自発光式照明灯を備えた防音壁の一実施例について詳細に説明すると、太陽光パネル（１）を設け、該パネル（１）と、ＬＥＤ電球（２ａ）複数個を内装した照明パネル（２）との間に、一又は複数個の蓄電池（３）層を設け、これらで防音壁（Ｘ）とすることを特徴とする自発光式照明灯を備えた防音壁から構成される。
【００１６】
なお、照明パネル（２）は、図１に示すように、上方を幅厚とし、下方に進むに従って幅薄となるテーパ状であってもよく、また、図２に示すように、厚みが上下同一であってもよい照明パネルを備えた防音壁である。
【００１７】
さらに、ＬＥＤ電球（２ａ）を内装した照明パネル（２）は、単なる照明機能だけではなく、視線誘導表示（４）の照明にも適応できるよう構成した自発光式照明灯を備えた防音壁である。
【００１８】
尚、防音壁（Ｘ）の大きさについては、複数存在し、例えば、縦寸法は、３００〜１０００ｃｍ、横寸法は、２０００〜４０００ｃｍであり、そして厚み寸法は、９０〜２７０ｃｍ程度である。
【００１９】
さらに、蓄電池（３）は、太陽パネル（１）で発電した電力を、直接、照明パネル（２）内のＬＥＤ電球（２ａ）に接続したり、余った電力を蓄えるものである。
【００２０】
また、この考案で自発光式とは、ＬＥＤ電球（２ａ）を内装した照明パネル（２）が、太陽光パネル（１）により、太陽の光エネルギーを直接電気に変換し、その電気を供給されて点灯する意味である。
【産業上の利用可能性】
【００２１】
この考案の自発光式照明灯の技術を確立し、該技術を実施・販売することにより、産業上利用可能性があるものである。
【符号の説明】
【００２２】
１  太陽光パネル
２  照明パネル
２ａ  ＬＥＤ電球
３  蓄電池
４  視線誘導表示
Ｘ  防音壁
【図１】
0003172256.tif 000003
【図２】
0003172256.tif 000004
【図３】
0003172256.tif 000005
(57)【要約】      （修正有）【課題】花を花瓶にいけるとき、花が花瓶にもたれ掛らないないようにし、且つ、いろんな大きさ花瓶について、花が花瓶にもたれ掛らないようにする花瓶用としての花の固定具を提供する。【解決手段】円板状の弾性体の素材で構成した本体９で、その本体９には、中央から複数の放射状の切り込み２と、円板の中央から周辺まで至る切断片３とにより花の固定具を形成する。花瓶に花を活けるときには、花を花の固定具の切り込み２に差し込んで、花瓶の大きさに対応して、切断片３付近を重ねることにより、本体９が花瓶の側壁を押圧して、花瓶の真ん中に花を活けることができるようになる。【選択図】図１
0003172216.tif 000002
【実用新案登録請求の範囲】
【請求項１】
円板状の弾性体の素材で構成した本体９を有し、その本体９には、中央から複数の放射状の切り込み２と、円板の中央から周辺まで至る切断片３を備えた花の固定具であって、花瓶に花を活けるときに、本体９の中央付近の切り込み２に差し込んで、花瓶の大きさに対応して、切断片３付近を重ねることにより、本体９が花瓶の側壁を押圧して、花瓶の真ん中に花を活けるようにしたことを特徴とする花の固定具。
【請求項２】
本体９に、切り込み２に加えて、放射状の長い切り込み４を設けたことを特徴とする請求項１記載の花の固定具。
【請求項３】
本体９の円板の周囲に複数の空気穴５を設けたこと特徴とする請求項１又は請求項２に記載の花の固定具
【請求項４】
本体９の中央付近に、花を差し込みし易くするために挿入穴６を設けたこと特徴とする請求項１から３の何れかに記載の花の固定具。
【請求項５】
本体９の外側に複数の襞を設け、襞と本体９の間に折り目を設け、襞を外側に折り曲げて、花瓶の花の固定具を花瓶に挿入して、花の固定具が花瓶から落ちにくいようにしたことを特徴とする請求項１から４の何れかに記載の花の固定具。
【考案の詳細な説明】
【技術分野】
【０００１】
花瓶に生花をさした場合に、花瓶の真ん中付近に生花をまっすぐ保持するための花の固定具に関する。
【背景技術】
【０００２】
花瓶に生花をさした場合に、生花が花瓶の縁に倒れ、見栄えがよくなかった。
【先行技術文献】
【特許文献】
【０００３】
【特許文献１】特開平８−２８９８３２公報
【考案の概要】
【考案が解決しようとする課題】
【０００４】
生花を花瓶に活けるとき、生花が花瓶にもたれかけないようにすることを目的とする。
【課題を解決するための手段】
【０００５】
円板状の弾性体の素材で構成し、円板の中央から放射状の切り込み２と、円板の中央から周辺まで至る切断片３とからなる花の固定具であって、花瓶に花を活けるときに、花を花の固定具の切り込みに挿入して、花瓶の大きさに対応して、切断片３を介して円板を重ねて、花の固定具の円板が花瓶の側壁を押圧して、花瓶の真ん中に花を活けるようにしたことを特徴とする花の固定具。
【０００６】
切り込み２に加えて、長い切り込み４を設けたことを特徴とする請求項１記載の花の固定具。
【０００７】
円板状の弾性体の周辺に空気穴５を設けたこと特徴とする請求項１又は請求項２に記載の花の固定具
【０００８】
花瓶に蓋の中央部に，花を差し込みし易くするために挿入穴６を設けたこと特徴とする請求項１から３の何れかに記載の花の固定具。
【０００９】
円板状の弾性体の外側に複数の襞を設け、襞と円板状の弾性体の間に上面に切れ目を設けた折り目を設け、花の固定具が花瓶から落ちにくいように、襞を外側に折り曲げて花瓶に挿入するようにしたことを特徴とする請求項１から４の何れかに記載の花の固定具。
【考案の効果】
【００１０】
生花を花瓶にいけるときに、花瓶の中央付近に真っすぐに保持できる。
【図面の簡単な説明】
【００１１】
【図１】本考案に花の固定具に構成（ａ）基本構成  （ｂ）長い切り込みを設けた場合  （ｃ）空気穴を設けた場合  （ｄ）挿入穴を設けた場合  （ｅ）襞を設けた場合
【図２】本考案の花の固定具の使用方法（ａ）太い花瓶に場合  （ｂ）細い花瓶の場合
【考案を実施するための形態】
【００１２】
図１は本考案に花の固定具の構成を示す。（ａ）は基本構成  （ｂ）は長い切り込みを設けた場合、（ｃ）は空気穴を設けた場合、（ｄ）は挿入穴を設けた場合、（ｅ）は襞を設けた場合である。
本考案の花の固定具は（ａ）に示すように、円板状のゴム等の弾性体の素材で構成した本体９と、本体９の円板の中央から外周に至る半分以内で終る放射状の切り込み２と、円板の中央から周辺まで至って切断した切断片３とからなる。生花を本体９の中央付近の放射状の切り込み２に入れて、円板の大きさより小さい花瓶に、花瓶の大きさに応じて切断片３の近辺を重ねて円錐形にして、花瓶に挿入する。花の固定具は、ゴム等の弾性体の素材でできているので、円板は花瓶の内部の側壁を押し、生花を花瓶に真ん中付近に保持する。
【００１３】
（ｂ）は、（ａ）の切り込み２に加えて、長い切り込み４を設けた場合である。長い切り込み４を入れると、多くの生花を花の固定具に入れ易くなる。
（ｃ）は、周辺などに空気穴５を複数個設けた場合である。周辺などに空気穴５を設けることにより花瓶の中に水が腐りにくくなる。
（ｄ）は、花瓶に蓋の中央部の放射状の切り込み２に，花を差し込みし易くするために挿入穴６を設けた場合である。放射状の切り込み２の真ん中が円形であるので、放射状の切り込み２の根本がいたみにくくなる。一輪挿しの場合等、穴を設けることにより、生花を入れやすくなる。
【００１４】
（ｅ）は、本体の円板の周囲の４箇所に外側に襞７を設けたものである。本体９と襞７の間には切れ目をいれ、外側に折り曲げ易くしている。生花を生けるときは、生花を放射状の切り込み２、又は、挿入穴６などに差し込んだ後、襞を外側に織り込んで、花瓶に挿入する。襞があることにより、本体９が花瓶の内壁から落ちにくくなる。
【００１５】
図2は、本考案の花の固定具の使用方法を示す。
（ａ）は太い花瓶に場合、（ｂ）は細い花瓶の場合を示す。
生花を放射状の切り込み２に入れて、円板の大きさより小さい花瓶に、花瓶の大きさに応じて切断片３の近辺を重ねて、花瓶に挿入する。花の固定具は、ゴム等の弾性体の素材でできているので、円板は花瓶の内部の側壁を押し、生花を花瓶に真ん中付近に保持する。
（ａ）の太い花瓶に場合は、切断片付近の重なりが少なく、本体９は、鈍角な円錐形を形成し、（ｂ）の細い花瓶の場合は、切断片付近の重なりが多く、本体８は、鋭角の円錐形を形成する。このように、いろんな大きさの花瓶に、本考案の花の固定具は適用できる。
【産業上の利用可能性】
【００１６】
花瓶に花を真ん中によせて活けることができる。
【符号の説明】
【００１７】
１    花瓶の蓋
２    切り込み
３    切断片
４    長い切り込み
５    空気穴
６    挿入穴
７    襞
８    折り目
９    本体
１０  花
【図１】
0003172216.tif 000003
【図２】
0003172216.tif 000004
(57)【要約】  【課題】  膝用サポータの剛性材として用い、関節部の屈曲動作に尚一層追従できる樹脂製ボーンを提供する。  【解決手段】  横幅方向に相対する両端面１ａを凹入曲面状とした断面扁平形の、可撓性ある樹脂製扁平棒体で構成する。そして、長手方向に沿う中央には、他の部分より硬質な樹脂製綿状体で成る芯材２を備え、該芯材２と前記端面１ａの間に該芯材２と平行する中空部１ｂを設ける。この中空部１ｂを、芯材２側を底辺１ｂ´とする断面略等脚台形状とし、前記底辺１ｂ´に相対する対辺１ｂ´´を、曲面状の端面１ａと相似した曲面状にする。【選択図】    図２
0003172239.tif 000002
【実用新案登録請求の範囲】
【請求項１】
横幅方向に相対する両端面を凹入曲面状とした断面扁平形の、可撓性ある樹脂製扁平棒状体で成る本体部を備え、該本体部の長手方向に沿う中央には、他の部分より硬質な樹脂製線状体で成る芯材を備え、該芯材と前記端面の間に該芯材と平行する中空部を設けた、膝用サポータの樹脂製ボーン。
【請求項２】
芯材を一辺が本体部の断面形の長手方向に沿う断面正方形状にした、請求項１記載の膝用サポータの樹脂製ボーン。
【請求項３】
中空部を、芯材側を底辺とする断面略等脚台形状とした、請求項１又は２記載の膝用サポータの樹脂製ボーン。
【請求項４】
中空部の形状の底辺に相対する対辺を、曲面状の端面と相似した曲面状にした、請求項３記載の膝用サポータの樹脂製ボーン。
【考案の詳細な説明】
【技術分野】
【０００１】
本考案は、安定した歩行などを得るために膝に装着して用いる膝用サポータに主として適用されている樹脂製ボーンに関するものである。
【背景技術】
【０００２】
膝用サポータは、歩行時に屈曲動作が行われる関節部に用いられることから、屈曲動作に追従できる屈曲自在性が要求され、反面、関節部の保持固定を図るボーン（支柱或いは剛性体）を関節部の両側に配することにより歩行動作を尚一層円滑に行えるようにしている。
【０００３】
このボーンとして当初金属製のものが用いられていたが、製造コストや取扱いの容易性から樹脂製ボーンが近年富に用いられるようになっており、例えば、樹脂製ボーンとして扁平状ボーン主体の中心に扁平状の芯部材を配し、芯部材の両側に中空部を設けた構造のものが知られている（例えば、特許文献１）。
【先行技術文献】
【特許文献】
【０００４】
【特許文献１】特開２００４−２２９６７９号公報
【考案の概要】
【考案が解決しようとする課題】
【０００５】
前記従来構造の樹脂製ボーンは、それぞれ扁平体で成るボーン主体と芯部材の配置関係によって扁平長手方向への円滑な湾曲変形と扁平短手方向への耐屈曲性を確保しようとするものであるが、装着フィット性を図るとして、適用している中空部の利用の仕方が必ずしも成功した構造のものとなっていない。
【０００６】
本考案は、前記従来構造の樹脂製ボーンを改良し、関節部の屈曲動作に尚一層追従できる樹脂製ボーンを提供することを目的として案出したものである。
【課題を解決するための手段】
【０００７】
横幅方向に相対する両端面を凹入曲面状とした断面扁平形の、可撓性ある樹脂製扁平棒状体で成る本体部を備え、該本体部の長手方向に沿う中央には、他の部分より硬質な樹脂製線状体で成る芯材を備え、該芯材と前記端面の間に該芯材と平行する中空部を設けたことを基本的手段とする。この基本的手段に芯材を一辺が本体部の断面形の長手方向に沿う断面正方形状にした点を付加することにより比較的曲げ強度の有る製品を提供でき、また、中空部を、芯材側を底辺とする断面略等脚台形状とした点や中空部の形状の底辺に相対する対辺を、曲面状の端面と相似した曲面状にした点を付加することにより屈曲動作に尚一層追従することのできる樹脂製ボーンを提供できる。
【考案の効果】
【０００８】
本考案によれば、断面扁平体の、横幅方向の相対する両端面を凹入曲面状とし、該端面と芯材との間に中空部を設けたものであるから、端面と中空部の相乗作用により、断面扁平体の横幅方向に曲がり易く、しかも、原状態に復帰し易い樹脂製ボーンを提供でき、従って、本考案に係るボーンを適用することにより屈曲動作に対する追従性の優れたサポータを提供できる。
【図面の簡単な説明】
【０００９】
【図１】正面図。
【図２】図１のｘ−ｘ線断面図。
【図３】使用状態を示す説明図。
【考案を実施するための形態】
【００１０】
図面は本考案に係る樹脂製ボーンの一実施形態を示し、本考案に係る樹脂製ボーンＡは、横幅方向に相対する両端面１ａ，１ａを凹入曲面状とした断面扁平形状の、可撓性有る樹脂（エラストマー）製棒状体で成る本体部１と、該本体部１と硬度の異なる樹脂で成る芯材２を同時成形して得たものである。
【００１１】
そして、樹脂製ボーンＡは、前記芯材２を前記本体部１の長手方向に沿う中央に配し、すなわち、前記本体部１の中心位置に埋設して、該ボーンとしての剛性を確保するようにしてある。
【００１２】
実施形態の芯材２は、本体部１より硬質な、樹脂製線状体で成り、断面正方形を成し、該正方形の相対する一対の辺が前記本体部１の断面形の長手方向に沿い、他の一方の辺が前記本体部１の厚さ方向に沿うように、前記本体部１に埋設したもので、この芯材２の両側の、すなわち、本体部１の断面扁平形状の長手方向の両側には、断面略等脚台形状の中空部１ｂを設けてある。
【００１３】
中空部１ｂは、ボーンＡ（本体部１）の長手方向に沿う両側に設け、その断面略等脚台形状の底辺１ｂ´を直面状として前記芯材２と相対する側に配し、底辺１ｂ´部に相対する対辺１ｂ´´を曲面状として前記端面１ａの凹入曲面状と相似形にしてある。
【００１４】
そして、この樹脂製ボーンＡを膝用サポータＳの膝頭当接部の両側部に適宜手段で取付けて用いるのである。
【００１５】
樹脂製ボーンＡ部を膝の側副靭帯部Ｓｂに当てるようにして該膝用サポータＳを装着すると、ボーンＡの芯材２の剛性により側副靭帯部Ｓｂは押え付けられ、固定される一方、歩行時など膝関節の屈曲動作を行うと、該屈曲動作に追従するようにサポータ中の樹脂製ボーンＡは屈曲して前記押え付けを保持して歩行時の安定した動作を維持できるのである。
【符号の説明】
【００１６】
１ａ      端面
１ｂ      中空部
１ｂ´    底辺
１ｂ´´  対辺
２        芯材
【図１】
0003172239.tif 000003
【図２】
0003172239.tif 000004
【図３】
0003172239.tif 000005
(57)【要約】      （修正有）【課題】料理などをする場合、計量したい量ごとに複数の計量スプーンを用意し使い分ける必要がなく、１つで様々な量を容易、且つ確実に計量可能とする計量スプーンを提供する。【解決の手段】決められた容量ごとの間仕切り部４を設けた計量部２を有する。間仕切り部の高さは取手側が先端側より高く、最も高い間仕切り部でも計量部の外枠の高さより低い。【選択図】図１
0003172238.tif 000002
【実用新案登録請求の範囲】
【請求項１】
計量部に決められた容量ごとの間仕切り部を設けてあり、計量部に設けられた間仕切り部の高さは取手側（手で持つ部分）の方が先端側より高く、最も高い間仕切り部でも計量部の外枠高さより低いことを特徴とした計量スプーンもしくは計量手段。
【請求項２】
間仕切り部によって区切られた区間の外枠側面には受け部が設けられたことを特徴とした請求項１に記載の計量スプーンもしくは計量手段
【考案の詳細な説明】
【技術分野】
【０００１】
本発明は、１つの計量スプーンにおいて様々な計量（小さじ、大さじ等）が可能な万能計量スプーンに関するものである。
【背景技術】
【０００２】
料理などをする場合、計量したい量ごとに複数の計量スプーンを用意し使い分けなければならず、場所を占有したり、持ち替えるといった容易な行為ではなかった。
【考案の開示】
【考案が解決しようとする課題】
【０００３】
複数の計量スプーンを使い分けるのは容易な行為ではなかった。したがって、１つの計量スプーンに様々な計量に対応した間仕切り部を設けることで、前述の欠点を解決しようとするものである。
【課題を解決するための手段】
【０００４】
本発明は、計量スプーンの計量部に様々な容量に対応した間仕切り部が構成されており、計量する際に、計量したい量に対応する間仕切り部まで満たされるように液体（例えば醤油、お酒など）を注ぐ、もしくは計量したい量に対応する間仕切り部まで粉体（砂糖、塩など）の入った容器にスプーンを差込み、持ち上げることで容易、且つ、確実に必要な量を計量することが可能となり、問題を解決している。
【考案の効果】
【０００５】
上述の様に、１つの計量スプーンにて様々な量の計量が可能なため、料理などをする際に複数の計量スプーンを用意しなくてもよいため、場所を取らず、持ち替える手間も省くことができ、効率的で、且つ容易に計量をすることができる。
【考案を実施するための最良の形態】
【０００６】
本発明品の計量部の容量は総１５ｃｃ（大さじ相当）とし、計量部先端から順に２．５ｃｃ単位（小さじ２分の１相当）の容量の間仕切り部を３箇所要しており、間仕切り部の高さは先端から取手部（手で持つ側）にかけて徐々に高くなる構造とし、例えば小さじ（５ｃｃ）を計量したい場合は、計量部先端から醤油等の液体を注いで、先端から１番目の間仕切り部が満たされた場合、さらに注ぎ続ければ間仕切り部から液体が溢れ、先端から２番目の間仕切り部に注ぎ込まれる。２番目の間仕切り部が満たされた場合、その容量は小さじ（５ｃｃ）となり、注ぎ込むのを止めればよい。小さじ２分の１の場合は１番目の間仕切り部（２．５ｃｃ）まで、小さじの場合は２番目の間仕切り部（５ｃｃ）まで、中さじの場合は３番目の間仕切り部（７．５ｃｃ）まで、大さじの場合は計量部全て（１５ｃｃ）を満たすまで注げばよい。
【０００７】
粉体（砂糖など）を計量する場合は、保存されている容器内の粉体の上面部に対し、必要な計量分の間仕切り部まで計量部先端を差込み持ち上げれば、必要な計量分を簡単に取り出すことが出来る。
【実施例】
【０００８】
以下、添付図に従って一実施例を説明する。初めに、本発明品の構成要素から説明する。図１、図２に示すように、１は計量スプーン全体、２は計量スプーンの計量部、３は計量部２と一体化した取手部、４は計量部２内に設けられた間仕切り部である。
【０００９】
図３に示すように、間仕切り部４は、容量２．５ｃｃ毎に先端より３個設けられ、間仕切り部４の高さは計量部２の先端から取手部３に向かって徐々に高くなっており、最も高い間仕切り部４ｃでも計量部２の外枠２ａの高さより低い方ことを特徴としている。
【００１０】
次に本発明品の使用方法について説明する。図４に示すように、液体（例えば醤油）を計量したい場合は、計量部２の先端部より注ぐと徐々に間仕切り部４に仕切られた部位が液体で満たされ、計量したい量に相当する間仕切り部４までが満たされた時点で、注ぐのを中断することで計量が完了する。間仕切り部４の高さは計量部２先端側より徐々に高くなっているため、例えば図４のように、５ｃｃに相当する間仕切り部４ｂまで注ぎたい際は、計量部２の先端より液体を注ぐと間仕切り部４ａで仕切られた空間が満たされると、液体は間仕切り部４ａを乗り越えて間仕切り部４ｂの区間に流れ込む。間仕切り部４ｂで仕切られた空間が満たされると目標の５ｃｃの計量が完了し液体を注ぐのを終了する。
【００１１】
また粉体を計量したい場合は、図５に示すように粉体が保管されている容器の上部より計量したい量に相当する間仕切り部４（図５は４ｃ）まで粉体内に計量部２の先端部を差込み持ち上げる。計量部２の上端より盛り上がった部分を除去することで、計量したい粉体を計量することが可能である。
【００１２】
本発明の一実施例は上記の如き構成と使用方法からなるものであるから、複数の計量スプーンを容易しなくても、１個の計量スプーンにて様々な量を容易、且つ確実に計量可能である。
【００１３】
本発明の実施例形状の応用例として、間仕切り部４を図６のごとく設けることも可能である。この場合、各間仕切り部４に対して計量部２の側面部に受け部５を設けると、液体を注ぐ際の液ダレなどを防ぐ補助部となることも可能であるし、また粉体をすくう際の導入部とすることも可能である。また、実施形状が猫などの動物に形態が似ていることから、図７に示すように動物の形状にて製造することで、特に子供の料理に対する興味を深める効果を持たせることも可能である。
【図面の簡単な説明】
【００１４】
【図１】本発明の万能計量スプーンの実施例を示した図である。
【図２】間仕切り部４の実施形状例１である。
【図３】間仕切り部４の高さを示した図である。
【図４】計量物（液体）を計量する際の実施状態を示した図である。
【図５】計量物（粉体）を計量する際の実施状態を示した図である。
【図６】間仕切り部４の実施形状例２である。
【図７】実施形状の応用例として、動物の形状にした図である。
【符号の説明】
【００１５】
１  計量スプーン
２  計量部
３  取手部
４  間仕切り部
５  受け部
【図１】
0003172238.tif 000003
【図２】
0003172238.tif 000004
【図３】
0003172238.tif 000005
【図４】
0003172238.tif 000006
【図５】
0003172238.tif 000007
【図６】
0003172238.tif 000008
【図７】
0003172238.tif 000009
(57)【要約】      （修正有）【課題】ピアスはピアスを使用しないときに、装飾品が付属しているピアス本体と耳朶に固定するためのキャッチが分離しており、キャッチと呼ばれるサイズの小さな部材の紛失を防止するピアスを提供する。【解決手段】ピアス用キャッチ１は、ピアス本体３と装飾性を有するチェーン状あるいは紐状の部材２によって相互に接続して構成する。ピアスを使用しないときにも、キャッチはキャッチより大きなピアス本体と結ばれていることによって、チェーンあるいは紐が切断されない限りは、紛失する可能性を低下させることが可能となる。【選択図】図１
0003172294.tif 000002
【実用新案登録請求の範囲】
【請求項１】
身飾り品である耳飾りの中で、ピアスと呼ばれる耳朶を貫通する部分を有する耳飾りにおいて、ピアス本体とキャッチを装飾性を有するチェーン状あるいは紐状の部材によって相互に接続し、ピアスを使用しないときにも、キャッチはキャッチより大きなピアス本体と結ばれていることによって、キャッチが紛失する可能性を低くすることを特徴とする耳飾り。
【考案の詳細な説明】
【技術分野】
【０００１】本考案は、身飾り品である耳飾りの中で、ピアスと呼ばれる耳朶を貫通する部分を有する耳飾りに関するものである。
【背景技術】
【０００２】従来のピアスは耳朶を貫通する棒状の部材と、ピアスが耳より落ちないための、前記棒状の部材に差し込むキャッチと呼ばれる部材によって、耳に固定されて使用されているが、本技術はピアスを耳から外して使用しないときにおける、キャッチを含むピアスの技術に関するものである。
【考案の概要】
【考案が解決しようとする課題】
【０００３】従来のピアスはピアスを使用しないときに、装飾品が付属しているピアス本体と耳朶に固定するためのキャッチが分離しており、キャッチと呼ばれるサイズの小さな部材の紛失を防止するピアスを提供すること。
【課題を解決するための手段】
【０００４】上記課題を解決するため、本考案の請求項１に記載のピアス用キャッチは、ピアス本体と装飾性を有するチェーン状あるいは紐状の部材によって相互に接続されており、ピアスを使用しないときにも、キャッチはキャッチより大きなピアス本体と結ばれていることによって、チェーンあるいは紐が切断されない限りは、紛失する可能性を低下することが可能となる。
【考案の効果】
【０００５】本考案によるピアス用キャッチを使用することにより、ピアスを耳に装着しない場合のキャッチの紛失防止に加えて、ピアスを脱着する際にもキャッチのみが落下し、探す手間や紛失する可能性を無くすことが可能となり、利便性および経済性を増加せしめた。
【図面の簡単な説明】
【０００６】
【図１】図１は、本考案によるピアス用キャッチのうち、接続用のチェーンあるいは紐をピアス本体に直接接続した場合の正面図である。
【図２】図２は、本考案によるピアス用キャッチのうち、接続用のチェーンあるいは紐をピアス本体に緩く接続した場合の正面図である。
【実施例】
【０００７】本考案のピアス用キャッチを、図面に示す具体的な実施例にもとづいて説明する。【０００８】図１に示す本考案によるピアス用キャッチは、キャッチと呼ばれる部材（１）がチェーン状あるいは紐状の部材（２）によって、部材（３）のピアス本体に直接接続している。
図２に示す本考案によるピアス用キャッチは、キャッチと呼ばれる部材（１）がチェーン状あるいは紐状の部材（２）によって、部材（３）のピアス本体に直接ではなく、緩やかに接続している。
【符号の説明】
【０００９】１  ピアスの一部を構成するキャッチと呼ばれる留め具
２  ピアス本体とキャッチを接続するチェーンあるいは紐
３  ピアス本体
【図１】
0003172294.tif 000003
【図２】
0003172294.tif 000004
(57)【要約】      （修正有）【課題】客車車輛に設置できる簡易的な個室を提供する。【解決手段】客車車両用のボックス席をカーテン１と仕切り板２で遮蔽し、ボックス席の内部を見えないようにする。【選択図】図１
0003172295.tif 000002
【実用新案登録請求の範囲】
【請求項１】
客車車両用のボックス席をカーテンと仕切り板で遮蔽してボックス席の内部を見えないようにして作った簡易的な個室
【考案の詳細な説明】
【技術分野】
【０００１】  本考案は、鉄道の客車車輛のボックス席の個室化に関するものである。
【背景技術】
【０００２】  鉄道での個室の旅を楽しむ時には、特別に作られた個室用車輛に設置されている個室を利用している。
【考案の概要】
【考案が解決しようとする課題】
【０００３】  個室用車輛では車輛の数が限定されるので、個室の旅を気軽に楽しむことができない。そこで、通常の客車車輛に個室を作ることで、前述の欠点を解決しようとするものである。【０００４】  本考案は、客車車輛用のボックス席をカーテンと仕切り板で遮蔽してボックス席の内部を見えないようにして簡易的な個室を作り、問題点を解決している。
【考案の効果】
【０００５】  上述のように、客車車輛用のボックス席を遮蔽して簡易的な個室を作ることで、もっと気軽に個室の旅を楽しめるようになる。
【図面の簡単な説明】
【０００６】
【図１】  カーテンを開けた時の正面図である。
【図２】  カーテンを閉めた時の正面図である。
【考案を実施するための形態】
【０００７】  カーテンと仕切り板の種類や材質は問わない。仕切り板の高さは、人が立った時でも隣のボックス席からの視線を遮蔽できる高さでよい。
【実施例】
【０００８】  添付図面では、カーテンはアコーデオンカーテンを使用している。仕切り板の高さは網棚の高さまでで、天井には達していない。
【符号の説明】    １  カーテン
２  仕切り板
３  座席
４  窓
５  壁
６  床
【図１】
0003172295.tif 000003
【図２】
0003172295.tif 000004
(57)【要約】      （修正有）【課題】二枚の型抜きされた段ボールの波状の部分を交差組み立てた運搬具を提供する。【解決手段】型抜きされた二枚の段ボールの波状の部分を交差、組み合わせ６、段ボールの溝を底面に対して直角になる様に組み立てる事で強度を増し、更に組み立て完了時の側面部通気用の切り込み穴の位置を、側面中心部からずらす事により上部への引っ張り強度を高め、長期間の使用に耐える強度を持つ。形は、正方形、長方形に限らず二枚の段ボールの波状の部を交差、組み合わせ、段ボールの溝を底面に対して直角になる様に組み立てる構造で有り、通気口４が運搬具側面中心部から、それていればよい。【選択図】図１
0003172296.tif 000002
【実用新案登録請求の範囲】
【請求項１】
段ボールを使用した愛玩動物運搬具
【考案の詳細な説明】
【技術分野】
【０００１】  この考案は二枚の段ボールの波状の部分を交差、組み合わせて、強度を増す事で長期間の使用に耐える強度を持つ愛玩動物運搬具である。
【背景技術】
【０００２】  従来の愛玩動物運搬具は樹脂製、革製、布製で、価格も高価であった。
【考案の開示】
【発明者が解決しようとする課題】
【０００３】  従来の愛玩動物運搬具には次の様な問題点が有った。
従来の愛玩動物運搬具は価格が高価であるため、成長が著しい幼少期愛玩動物（生後２カ月から６か月）の運搬に合う運搬具を購入すると、成長に合わせて再度高価な運搬具を購入しなければならなかった。
幼少期の愛玩動物を小売店より購入時に運搬用として箱状の紙容器に入れられて運搬しているが、この運搬具は強度が弱く、複数回使用可能な運搬具として使用する事が出来なかった。
本考案は、以上の様な問題点をなくすためになされたものである。
【課題を解決するための手段】
【０００４】  型抜きされた二枚の段ボールの波状の部分を交差、組み合わせ、運搬具側面の通気口位置を段ボール波状部分の向きに並行した状態で、通気口の穴を中心部からそらす構造で作成する。
この時、段ボールの波状部分は常に底面に対して上に直角になる様に作成する。
以上の構成によりなる愛玩動物運搬具である。
【考案の効果】
【０００５】  型抜きされた二枚の段ボールの波状の部分を交差、組み合わせ、段ボールの溝を底面に対して直角になる様に組み立てる事で強度を増し、更に組み立て完了時の側面部通気用の切り込み穴の位置を、側面中心部からずらす事により上部への引っ張り強度を高め、長期間の使用に耐える強度を持つ。
形は、正方形、長方形に限らず二枚の段ボールの波状の部を交差、組み合わせ、段ボールの溝を底面に対して直角になる様に組み立てる構造で有り、通気口が運搬具側面中心部から、それていればよい。
【考案を実施する為の最良の形態】
【０００６】以下、本考案の実施例に付いて説明する。
型抜きされた二枚の段ボールの波状の部分を交差、組み合わせ、段ボールの溝を底面に対して直角になる様に組み立てる構造で有通気口が運搬具側面中心部から、それた位置に空いた状態で使用する。
本考案は、以上のような構造でこれを使用するときは型抜きされた二枚の段ボールを組み合わせて使用する。
なお、本考案の運搬具の段ボールの波状部分の構造は一重でも二重でも良く、通気口の形状は長方形、円形、多角形であってもよい。
【図面の簡単な説明】
【０００７】
【図１】  本考案の斜視図である。
【図２】  本考案の平面図である。
【図３】  本考案の正面図である。
【図４】  本考案の型抜き組み合わせ部品である。
【図５】  本考案の型抜きされた段ボール断面である。
【符号の説明】
【０００８】１        愛玩動物運搬具
２        段ボールの波状部分部の断面
３        段ボールの波状部分の交差部
４        愛玩動物運搬具通気口の穴位置
５        型抜きされた２枚の段ボール
６        ２枚の段ボールの組み合わせ部分
７        段ボールの波状部分の構造
８        愛玩動物運搬具の中心線
９        段ボールの波状部分の溝の向き
【図１】
0003172296.tif 000003
【図２】
0003172296.tif 000004
【図３】
0003172296.tif 000005
【図４】
0003172296.tif 000006
【図５】
0003172296.tif 000007
(57)【要約】      （修正有）【課題】ヘルメットの顎紐を利用し、トランシーバーなどの通信用のマイクロホンを使用できるようにしたセラミック素子型皮膚振動マイクロホンを提供する。【解決手段】セラミック素子型皮膚振動マイクロホン７のケースにヘルメット８の顎紐９に挟み込めるようにし、簡単に取り付け、取り外し出来るように紐の厚みに合わせる。又ヘルメットの顎紐にセラミック素子型皮膚振動マイクロホンを顎の皮膚に密着させるために、皮膚接するケースの面を楕円の凸面にし、皮膚に直接触れ振動させて、マイクロホンとしての動作をさせる。【選択図】図７
0003172282.tif 000002
【実用新案登録請求の範囲】
【請求項１】
セラミック素子型振動マイクロホンを内蔵し、顎の皮膚に密着する楕円の凸面を有するケースからなるマイクロホンであって、凸面を通じて人間の発生する音声を振動としてとらえることにより作動し、ヘルメットの紐に挟み込む構造であることを特徴とするセラミック素子型皮膚振動マイクロホン。
【考案の詳細な説明】
【技術分野】
【０００１】
本考案はヘルメットの顎紐用セラミック素子型皮膚振動マイクロホンに関する。
【背景技術】
【０００２】
ヘルメットの顎紐用セラミック素子型皮膚振動マイクロホンは従来知られていない。
【考案の開示】
【考案が解決しようとする課題】
【０００３】
本考案はセラミック素子型皮膚振動マイクロホンをヘルメットの顎紐に簡単に取り付け、取り外しが出来き、発声を電気信号に変換することのできるマイクロホンを提供することを課題とする。
【課題を解決するための手段】
【０００４】
セラミック素子型振動マイクロホンを内蔵し、顎の皮膚に密着する楕円の凸面を有するケースからなるマイクロホンであって、凸面を通じて人間の発生する音声を振動としてとらえることにより作動し、ヘルメットの紐に挟み込む構造である。本構造とすることによりセラミック素子型皮膚振動マイクロホンとして動作することができる。
【考案の効果】
【０００５】
上述のように本考案は皮膚振動マイクロホンのケースに紐を挟み込む為の板を取り付けることで、簡単に交換できる効果を有する。
また、皮膚に密着することができるので人間の発声を直接振動としてとらえることができるので、騒音の大きな場所であっても確実にマイクロホンとしての機能を発揮することができる。
【考案を実施するための最良の形態】
【０００６】
上述のように本考案は、振動マイクロホンのケースに紐を挟み込む為の板を取り付けることで、実施するための最良の形態とする。
【実施例】
【０００７】
図面に従って、以下添付実施例を説明する、１は上ケースで皮膚に直接触れる面、１aは上ケースで皮膚に直接触れる面からの振動をセラミックマイクロホン素子に伝えるピン、１ｂは皮膚に密着させるため楕円の凸面にし皮膚に直接触れ振動する、２はリード線、３はセラミックマイクロホン素子、４はセラミックマイクロホン素子に適度の接触圧を加えるためのクッションスポンジ
【０００８】
５は電子回路用プリント基板、６は下ケース、６aはヘルメットの顎紐を挟み込む隙間、６ｂはヘルメットの顎紐を挟み込むための板、７はセラミック素子型皮膚振動マイクロホン本体、８は顎紐付きヘルメット、９はヘルメットの顎紐
【図面の簡単な説明】
【０００９】
【図１】セラミック素子型皮膚振動マイクロホン本体正面図
【図２】セラミック素子型皮膚振動マイクロホン本体一部断面上面図
【図３】セラミック素子型皮膚振動マイクロホン本体下面図
【図４】セラミック素子型皮膚振動マイクロホン本体裏面図
【図５】セラミック素子型皮膚振動マイクロホン本体右側面図
【図６】セラミック素子型皮膚振動マイクロホン本体左側面図
【図７】セラミック素子型皮膚振動マイクロホン本体使用A図
【図８】セラミック素子型皮膚振動マイクロホン本体使用B図
【符号の説明】
【００１０】
１    上ケース
２    リード線
３    セラミックマイクロホン素子
４    セラミックマイクロホン素子に適度の接触圧を加えるためのクッションスポンジ
５    電子回路用プリント基板
６    下ケース
７    セラミック素子型皮膚振動マイクロホン本体
８    顎紐付きヘルメット
９    ヘルメットの顎紐
【図１】
0003172282.tif 000003
【図２】
0003172282.tif 000004
【図３】
0003172282.tif 000005
【図４】
0003172282.tif 000006
【図５】
0003172282.tif 000007
【図６】
0003172282.tif 000008
【図７】
0003172282.tif 000009
【図８】
0003172282.tif 000010
(57)【要約】      （修正有）【課題】床の上から足場も使わず一人で持ち上げ施工位置に取り付けることが出来る天井張機を提供する。【解決手段】天井張機を使えば一人で、天井足場をほとんど使わず、床の上に、積重ねた天井板の上に、天井張機を逆さに乗せて天井板の四方にフックを引っ掛けて持ち上げ位置にもって行き張れる。床の上なので安全でコスト低減に成る。【選択図】図１
0003172281.tif 000002
【実用新案登録請求の範囲】
【請求項１】
天井張機は金属製で、１、支柱は、市販されている、縦に使う突っ張り棒の様なパイプ、中間には、伸縮、停止の機能付き、２、ベース、天井張機の安定と昇降の微調整、３、調整台、上のベースの上に取り付ける調整台で、上に天井板受けパイプを十文字に取り付ける調整台
４、天井板受けパイプ、市販されている、横に使う、突っ張り棒の様なパイプ、天井板には、大小有るので、中間には伸縮、停止の機能付き、調整台の上に十文字に取り付けて天井板を乗せるパイプ、
５、引っ掛けフーク、コノ字型で天井板受けパイプの先端に丁型に取り付けられ天井板の四面を引っ掛けて持ち上げるフック
【考案の詳細な説明】
【技術分野】
【０００１】  本考案は、建築施工現場の天井板を張る時、不安定な天井足場の上に天井材を乗せて、二人ぢ持ち上げて張っていますが、それを安定した、床の上に天井材をつんだ上に天井張機を被せて引っかけ１人で持ち上げて位置に運び天井板を張れる労コストで又、足場からの転落事故も減らすことも出来る、大工さんも二、三軒、施工すれば天井張機に慣れて早くなる、大変優れた天井張機です【０００２】  従来は、天井足場の上での施工が普通で、大変でした、天井張り機を使うと床の上から安全で楽に施工が出来る【０００３】  実例では、今は天井足場の上に、天井板を乗せて大工さんが二人で持ち上げて位置に持って行き天井板を張っています
【先行技術文献】
【０００４】
【特許文献】
【考案の概要】
【考案が解決しようとする課題】
【０００５】考案の天井張機は、危険な天井足場の上の作業を安全な床の上から足場も使わず一人で持ち上げ施工位置に取り付けることが出来る構造、安全でロコスト
【課題を解決するため手段】
【０００６】本考案は天井板ボード等を床の上に積み、その上に天井張機を被せて四方を挟んで持ち上げて天井に張る機械
【考案の効果】
【０００７】本考案の、天井張機は、今までは天井足場を組、天井板等を足場の上に乗せて二人で持ち上げて位置に持って行き張っている所を、床の上から足場をほとんど使わず一人で張れます、床の上に天井材を積みその上に天井張機を逆さに被せて板の四方をフックで挟み持ち上げ位置にもって張ります、足場からの転落、二人の所を一人、安全、ロウコスト等になる
【考案を実施するめの形態】
【０００８】以下、本考案の天井張機の構造をその実施の最良の形態について図面に示す実施例に基ずいて具体的に説明する
【０００９】図１は、正面の立面図です、天井張機は金属製、１、支柱はパイプは、上の重量を支える柱で、手で持ちやすい用に形は、パイプ、皆さんに解かり安く言うと、市販されている、縦に使う突っ張り棒に大変近いです中間には、伸縮と、停止機能が有ります、又支柱の上下には全体を支える、２、ベースが付き、支柱との接合には、ベースの中心に、ボルトが溶接で付けられそのネジで組み立てる、又支柱を左右に回す事で高さの調整が出来る、上のベースは調整台の中心に溶接取付ける
３、調整台は、菱形の四方の角を、少し切り落とした形で、その上に天井板を安定に乗せて引っ掛けるパイプを、十ノ字に近い形で溶接で取付ける台を調整台
４天井板乗せ引っ掛けパイプは、市販の横に使う突っ張り棒に、大変近い機能のです、その内側のパイプの先端には、コノ字の、５、引っ掛け金具フックを丁型に溶接で取付、又外側のパイプを調整台の上に十の字に溶接で止めて、天井板の四面を大小のサイズに合わせてパイプを伸縮、引っ掛け、停止出来る機能が有るパイプ、
【図面の簡単な説明】
【００１０】
【図１】は、天井張機の正面の立面図です、天井張機を、床に積み重ねた天井板に逆さに乗せて、調整台の上に十文字に取り付けた、パイプの先端のフックで、天井板の四面を、引っ掛けて持ち上げて、天井に張る場面、
【図２】は、天井張機の平面図、調整台、とその上の、パイプ、先端の、フック、又そのパイプに天井板を乗せて四方をフックで挟んだ場面
【符号の説明】１．。。。支柱パイプ、天井張機と天井板などを支える柱
２．。。。ベース、上のベースは調整台から上の荷重を安定に支えるベース、下は全体を支えるベース
３．。。。調整台、天井板を乗せるパイプを十文字に溶接で取付ける台
４．。。。天井板受けパイプ、天井板を乗せても落ちない用にバランス良く取付けられているパイプ
５．。。。フック、天井板の四面を引っ掛け落ちないように挟むフック
【図１】
0003172281.tif 000003
【図２】
0003172281.tif 000004
【手続補正書】
【提出日】平成23年8月19日(2011.8.19)
【手続補正１】
【補正対象書類名】実用新案登録請求の範囲
【補正対象項目名】全文
【補正方法】変更
【補正の内容】
【実用新案登録請求の範囲】
【請求項１】
天井張機の  １支柱は、パイプで  縦に使う突っ張り棒の様に、中間には、伸縮、停止、機能付のパイプである支柱と、前記支柱の上下に、ボルトを用いて、高さ微調整が可能に取り付けられたベースの、上のベースに溶接で取り付けられた調整台とを有し、前記調整台の上には、天井板を乗せるパイプを十文字に取り付、その先端には天井板の四面を引っ掛ける、コの字型の、引っ掛けフックを、Ｔ型に取り付け、又、天井板は、大小あるので、前記天井板を乗せるパイプは、突っ張り棒の様に中間には伸縮、停止の機能を有する事を特徴とする、天井張機